(57)【要約】【課題】上り応答信号の伝送方法及移動端末を提供する。【解決手段】マルチキャリア通信システムにおいて上り応答信号を伝送する方法が提供される。マルチキャリア通信システムでは各上りコンポーネントキャリアが一組の下りコンポーネントキャリアに関連し、一組の下りコンポーネントキャリアはマルチキャリア通信システムにおける全ての下りコンポーネントキャリアの一部である。該方法は、上りプライマリコンポーネントキャリアにおいてそれに関連する各下りコンポーネントキャリアに上り制御チャネルリソースを割り当てる段階；応答信号の状態に基づいて、割り当てられた上り制御チャネルリソースから上り応答信号を伝送するための上り制御チャネルリソースを選択し変調シンボルマッピングを選択する段階；選択された上り制御チャネルリソース及び変調シンボルマッピングを利用し上り応答信号を伝送する段階を含む。【選択図】図４
2013535925.tif 000002
【特許請求の範囲】
【請求項１】
マルチキャリア通信システムにおいて上り応答信号を伝送する方法であって、
前記マルチキャリア通信システムでは、各上りコンポーネントキャリアが一組の下りコンポーネントキャリアに関連し、前記一組の下りコンポーネントキャリアは前記マルチキャリア通信システムにおける全ての下りコンポーネントキャリアの一部であり、
前記方法は、
上りプライマリコンポーネントキャリアにおいて、該上りプライマリコンポーネントキャリアに関連する各下りコンポーネントキャリアに上り制御チャネルリソースを割り当てるステップと、
応答信号の状態に基づいて、割り当てられた前記上り制御チャネルリソースから、前記上り応答信号を伝送するための上り制御チャネルリソースを選択し、変調シンボルマッピングを選択するステップと、
選択された前記上り制御チャネルリソース及び前記変調シンボルマッピングを利用して前記上り応答信号を伝送するステップと、を含む方法。
【請求項２】
請求項1に記載の方法であって、
前記上り制御チャネルリソースの割り当ては、上りプライマリコンポーネントキャリアに関連する各下りコンポーネントキャリアが上りプライマリコンポーネントキャリアにおいて対応するPUCCHチャネルの、周波数領域における開始位置を異ならせることを含む、方法。
【請求項３】
請求項1又は2に記載の方法であって、
応答信号の状態において、１つの下りコンポーネントキャリアに対しての１つの応答がA又はNであれば、同じ下りコンポーネントキャリアに対してのもう１つの応答がDではなく、
ここで、Aは、データが正確に受信されていることを表し、Nは、データが誤って受信されていることを表し、Dは、下り制御データが受信されていないことを表す、方法。
【請求項４】
請求項1又は2に記載の方法であって、
前記上り応答信号を伝送するための上り制御チャネルリソースを選択し、変調シンボルマッピングを選択するステップは、
２つの応答信号の状態において、同じ下りコンポーネントキャリアの第2個のトランスポートブロックに対しての応答がそれぞれN及びXであり、且つ他の応答が同じである場合に、前記上り応答信号を伝送するために、同じ上り制御チャネルリソース及び変調シンボルマッピングを選択することを含み、
ここで、Nは、データが誤って受信されていることを表し、Xは、対応する下りデータトランスポートブロックが存在しないことを表す、方法。
【請求項５】
請求項1又は2に記載の方法であって、
前記応答信号の状態において、１つの下りコンポーネントキャリアの第１個のトランスポートブロックに対しての応答がXであることが許されず、
ここで、Xは、対応する下りデータトランスポートブロックが存在しないことを表す、方法。
【請求項６】
請求項1又は2に記載の方法であって、
同じ下りコンポーネントキャリアに対しての２つの応答が、それぞれ、D及びAであり、又は、D及びNであることが許されず、
ここで、Aは、データが正確に受信されていることを表し、Nは、データが誤って受信されていることを表し、Dは、下り制御データが受信されていないことを表す、方法。
【請求項７】
請求項1又は2に記載の方法であって、
１つの下りプライマリコンポーネントキャリア及び１つのセカンダリコンポーネントキャリアが構成/起動されている場合のみ、応答信号の状態が次の表から選択され、
【表１７】
2013535925.tif 000019
ここで、応答1及び応答2は、前記下りプライマリコンポーネントキャリアの第１個のトランスポートブロック及び第２個のトランスポートブロックに対しての応答を表し、応答3及び応答4は、前記下りセカンダリコンポーネントキャリアの第１個のトランスポートブロック及び第２個のトランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表す、方法。
【請求項８】
請求項7に記載の方法であって、
前記上り応答信号を伝送するための上り制御チャネルリソースを選択し、変調シンボルマッピングを選択するステップは、
１つの下りプライマリコンポーネントキャリア及び１つのセカンダリコンポーネントキャリアが構成/起動されている場合のみ、次の表に示す方式に従って、前記上り応答信号を伝送するための上り制御チャネルリソース及び変調シンボルマッピングを選択することを含み、
【表１８】
2013535925.tif 000020
ここで、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、方法。
【請求項９】
請求項7に記載の方法であって、
前記上り応答信号を伝送するための上り制御チャネルリソースを選択し、変調シンボルマッピングを選択するステップは、
任意の３種類の応答信号の状態について、同じ上り制御チャネルリソース及び変調シンボルマッピングを選択しないことを含む、方法。
【請求項１０】
請求項9に記載の方法であって、
前記上り応答信号を伝送するための上り制御チャネルリソースを選択し、変調シンボルマッピングを選択するステップは、
１つの下りプライマリコンポーネントキャリア及び１つのセカンダリコンポーネントキャリアが構成/起動されている場合のみ、次の表に示す方式に従って、前記上り応答信号を伝送するための上り制御チャネルリソース及び変調シンボルマッピングを選択することを含み、
【表１９】
2013535925.tif 000021
ここで、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、方法。
【請求項１１】
請求項1又は2に記載の方法であって、
前記応答信号の状態は、プライマリコンポーネントキャリアに対しての応答が全てD又はXであるが、セカンダリコンポーネントキャリアに対しての応答が全てD又はXではない状態を含まず、
ここで、Dは、下り制御データが受信されていないことを表し、Xは、対応する下りデータトランスポートブロックが存在しないことを表す、方法。
【請求項１２】
請求項11に記載の方法であって、
前記上り応答信号を伝送するための上り制御チャネルリソースを選択し、変調シンボルマッピングを選択するステップは、
１つの下りプライマリコンポーネントキャリア及び１つのセカンダリコンポーネントキャリアが構成/起動されている場合のみ、次の表に示す方式に従って、前記上り応答信号を伝送するための上り制御チャネルリソース及び変調シンボルマッピングを選択することを含み、
【表２０】
2013535925.tif 000022
ここで、応答1及び応答2は、前記下りプライマリコンポーネントキャリアの第１個のトランスポートブロック及び第２個のトランスポートブロックに対しての応答を表し、応答3及び応答4は、前記下りセカンダリコンポーネントキャリアの第１個のトランスポートブロック及び第２個のトランスポートブロックに対しての応答を表し、Aは、データが正確に受信されていることを表し、Nは、データが誤って受信されていることを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、方法。
【請求項１３】
請求項1又2に記載の方法であって、
前記上り応答信号を伝送するための上り制御チャネルリソースを選択し、変調シンボルマッピングを選択するステップは、
下りプライマリコンポーネントキャリアのみにおいてデータ送信をスケジューリングする場合、下りプライマリコンポーネントキャリアにおいてデータ送信をスケジューリングする制御シグナリングの最小の制御チャネル要素のインデックスn0がマッピングするリソースを選択して、前記上り応答信号を伝送するための上り制御チャネルリソースとすることを含む、方法。
【請求項１４】
請求項13に記載の方法であって、
前記上り応答信号を伝送するための上り制御チャネルリソースを選択し、変調シンボルマッピングを選択するステップは、
１つの下りプライマリコンポーネントキャリア及び１つのセカンダリコンポーネントキャリアが構成/起動されており、且つ、下りプライマリコンポーネントキャリアのみにおいてデータ送信をスケジューリングする場合、次の表に示す方式に従って、前記上り応答信号を伝送するための上り制御チャネルリソース及び変調シンボルマッピングを選択することを含み、
【表２１】
2013535925.tif 000023
ここで、応答1及び応答2は、前記下りプライマリコンポーネントキャリアの第１個のトランスポートブロック及び第２個のトランスポートブロックに対しての応答を表し、応答3及び応答4は、前記下りセカンダリコンポーネントキャリアの第１個のトランスポートブロック及び第２個のトランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、方法。
【請求項１５】
請求項1又は2に記載の方法であって、
前記上り応答信号を伝送するための上り制御チャネルリソースを選択し、変調シンボルマッピングを選択するステップは、
１つの下りプライマリコンポーネントキャリア及び２つ又は３つのセカンダリコンポーネントキャリアが構成/起動されている場合のみ、次の表に示す方式に従って、前記上り応答信号を伝送するための上り制御チャネルリソース及び変調シンボルマッピングを選択することを含み、
【表２２】
2013535925.tif 000024
ここで、応答1、応答2、応答3及び応答4は、異なる下りコンポーネントキャリアのトランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、方法。
【請求項１６】
拠請求項11に記載の方法であって、
前記上り応答信号を伝送するための上り制御チャネルリソースを選択し、変調シンボルマッピングを選択するステップは、
１つの下りプライマリコンポーネントキャリア及び２つ又は３つのセカンダリコンポーネントキャリアが構成/起動されている場合のみ、次の表に示す方式に従って、前記上り応答信号を伝送するための上り制御チャネルリソース及び変調シンボルマッピングを選択することを含み、
【表２３】
2013535925.tif 000025
ここで、応答1及び応答2は、２つの下りコンポーネントキャリアのうちの１つ、応答3及び応答4は、２つの下りコンポーネントキャリアのうちのもう１つの異なる下りコンポーネントキャリアのトランスポートブロックに対しての応答を表し、Aは、データが正確に受信されていることを表し、Nは、データが誤って受信されていることを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、方法。
【請求項１７】
請求項1又は2に記載の方法であって、更に、
１つ又は複数の下りコンポーネントキャリアを用いて信号を伝送し、及び
前記上り応答信号を受信するステップを含む、方法。
【請求項１８】
マルチキャリア通信システムに用いる移動端末であって、
前記マルチキャリア通信システムでは、各上りコンポーネントキャリアが一組の下りコンポーネントキャリアに関連し、前記一組の下りコンポーネントキャリアは、マルチキャリア通信システムにおける全ての下りコンポーネントキャリアの一部であり、
前記移動端末は、
上りプライマリコンポーネントキャリアにおいて、該上りプライマリコンポーネントキャリアに関連する各下りコンポーネントキャリアに上り制御チャネルリソースを割り当てるためのリソース割り当てユニットと、
応答信号の状態に基づいて、割り当てられた前記上り制御チャネルリソースから、前記上り応答信号を伝送するための上り制御チャネルリソースを選択し、変調シンボルマッピングを選択するための選択ユニットと、
選択された前記上り制御チャネルリソース及び前記変調シンボルマッピングを利用して前記上り応答信号を伝送するための伝送ユニットと、含む、移動端末。
【請求項１９】
請求項18に記載の移動端末であって、
前記リソース割り当てユニットは、上りプライマリコンポーネントキャリアに関連する各下りコンポーネントキャリアが上りプライマリコンポーネントキャリアにおいて対応するPUCCHチャネルの、周波数領域における開始位置を異ならせる、移動端末。
【請求項２０】
請求項18又は19に記載の移動端末であって、
応答信号の状態において、１つの下りコンポーネントキャリアに対しての１つの応答がA又はNである場合、同じ下りコンポーネントキャリアのもう１つの応答がDではなく、
ここで、Aは、データが正確に受信されていることを表し、Nは、データが誤って受信されていることを表し、Dは、下り制御データが受信されていないことを表す、移動端末。
【請求項２１】
請求項18又は19に記載の移動端末であって、
前記選択ユニットは、２つの応答信号の状態において、同じ下りコンポーネントキャリアの第2個のトランスポートブロックに対しての応答がそれぞれN及びXであり、且つ他の応答が同じである場合、前記上り応答信号を伝送するために、同じ上り制御チャネルリソース及び変調シンボルマッピングを選択し、
ここで、Nは、データが誤って受信されていることを表し、Xは、対応する下りデータトランスポートブロックが存在しないことを表す、移動端末。
【請求項２２】
如請求項18又は19に記載の移動端末であって、
前記応答信号の状態において、１つの下りコンポーネントキャリアの第１個のトランスポートブロックに対しての応答がXであることが許されず、
ここで、Xは、対応する下りデータトランスポートブロックが存在しないことを表す、移動端末。
【請求項２３】
請求項18又は19に記載の移動端末であって、
同じ下りコンポーネントキャリアに対しての２つの応答が、それぞれ、D及びA、又は、D及びNであることが許されず、
ここで、Aは、データが正確に受信されていることを表し、Nは、データが誤って受信されていることを表し、Dは、下り制御データが受信されていないことを表す、移動端末。
【請求項２４】
請求項18又は19に記載の移動端末であって、
１つの下りプライマリコンポーネントキャリア及び１つのセカンダリコンポーネントキャリアが構成/起動されている場合のみ、応答信号の状態が次の表から選択され、
【表２４】
2013535925.tif 000026
ここで、応答1及び応答2は、前記下りプライマリコンポーネントキャリアの第１個のトランスポートブロック及び第２個のトランスポートブロックに対しての応答を表し、応答3及び応答4は、前記下りセカンダリコンポーネントキャリアの第１個のトランスポートブロック及び第２個のトランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表す、移動端末。
【請求項２５】
請求項24に記載の移動端末であって、
前記選択ユニットは、１つの下りプライマリコンポーネントキャリア及び１つのセカンダリコンポーネントキャリアが構成/起動されている場合のみ、次の表に示す方式に従って、前記上り応答信号を伝送するための上り制御チャネルリソース及び変調シンボルマッピングを選択し、
【表２５】
2013535925.tif 000027
ここで、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、移動端末。
【請求項２６】
請求項24に記載の移動端末であって、
前記選択ユニットは、任意の３種類の応答信号状態について、同じ上り制御チャネルリソース及び変調シンボルマッピングを選択しない、移動端末。
【請求項２７】
請求項26に記載の移動端末であって、
前記選択ユニットは、１つの下りプライマリコンポーネントキャリア及び１つのセカンダリコンポーネントキャリアが構成/起動されている場合のみ、次の表に示す方式に従って、前記上り応答信号を伝送するための上り制御チャネルリソース并選択変調シンボルマッピングを選択し、
【表２６】
2013535925.tif 000028
ここで、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、移動端末。
【請求項２８】
請求項18又は19に記載の移動端末であって、
応答信号の状態は、プライマリコンポーネントキャリアに対しての応答が全てD又はXであるが、セカンダリコンポーネントキャリアに対しての応答が全てD又はXではない状態を含まず、
ここで、Dは、下り制御データが受信されていないことを表し、Xは、対応する下りデータトランスポートブロックが存在しないことを表す、移動端末。
【請求項２９】
請求項28に記載の移動端末であって、
前記選択ユニットは、１つの下りプライマリコンポーネントキャリア及び１つのセカンダリコンポーネントキャリアが構成/起動されている場合のみ、次の表に示す方式に従って、前記上り応答信号を伝送するための上り制御チャネルリソース及び変調シンボルマッピングを選択し、
【表２７】
2013535925.tif 000029
ここで、応答1及び応答2は、前記下りプライマリコンポーネントキャリアの第１個のトランスポートブロック及び第２個のトランスポートブロックに対しての応答を表し、応答3及び応答4は、前記下りセカンダリコンポーネントキャリアの第１個のトランスポートブロック及び第２個のトランスポートブロックに対しての応答を表し、Aは、データが正確に受信されていることを表し、Nは、データが誤って受信されていることを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、移動端末。
【請求項３０】
請求項18又は19に記載の移動端末であって、
前記選択ユニットは、１つの下りプライマリコンポーネントキャリア及び１つ又は複数のセカンダリコンポーネントキャリアが構成/起動されており、且つ、下りプライマリコンポーネントキャリアのみにおいてデータ送信をスケジューリングする場合、下りプライマリコンポーネントキャリアにおいて、前記移動端末がデータを送信することをスケジューリングする制御シグナリングの最小の制御チャネル要素のインデックスn0がマッピングするリソースを選択して、前記上り応答信号を伝送するための上り制御チャネルリソースとする、移動端末。
【請求項３１】
請求項30に記載の移動端末であって、
前記選択ユニットは、１つの下りプライマリコンポーネントキャリア及び１つのセカンダリコンポーネントキャリアが構成/起動されており、且つ、下りプライマリコンポーネントキャリアのみにおいてデータ送信をスケジューリングする場合、次の表に示す方式に従って、前記上り応答信号を伝送するための上り制御チャネルリソース及び変調シンボルマッピングを選択し、
【表２８】
2013535925.tif 000030
ここで、応答1及び応答2は、前記下りプライマリコンポーネントキャリアの第1個のトランスポートブロック及び第２個のトランスポートブロックに対しての応答を表し、応答3及び応答4は、前記下りセカンダリコンポーネントキャリアの第1個のトランスポートブロック及び第２個のトランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、移動端末。
【請求項３２】
請求項18又は19に記載の移動端末であって、
前記選択ユニットは、１つの下りプライマリコンポーネントキャリア及び２つ又は３つのセカンダリコンポーネントキャリアが構成/起動されている場合のみ、次の表に示す方式に従って、前記上り応答信号を伝送するための上り制御チャネルリソース及び変調シンボルマッピングを選択し、
【表２９】
2013535925.tif 000031
ここで、応答1、応答2、応答3及び応答4は、異なる下りコンポーネントキャリアのトランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、移動端末。
【請求項３３】
請求項28に記載の移動端末であって、
前記選択ユニットは、１つの下りプライマリコンポーネントキャリア及び２つ又は３つのセカンダリコンポーネントキャリアが構成/起動されている場合のみ、次の表に示す方式に従って、前記上り応答信号を伝送するための上り制御チャネルリソース及び変調シンボルマッピングを選択し、
【表３０】
2013535925.tif 000032
ここで、応答1、応答2、応答3及び応答4は、異なる下りコンポーネントキャリアのトランスポートブロックに対しての応答を表し、Aは、データが正確に受信されていることを表し、Nは、データが誤って受信されていることを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す、移動端末。
【請求項３４】
基地局及び請求項18〜33の何れか１項に記載の移動端末を含むマルチキャリア通信システム。
【請求項３５】
請求項34に記載のマルチキャリア通信システムであって、
前記基地局は、受信器を含み、
前記受信器は、選択された上り制御チャネルリソース及び変調シンボルマッピングを利用して伝送した前記上り応答信号を受信する、マルチキャリア通信システム。
【発明の詳細な説明】
【技術分野】
【０００１】
本発明は、総体的に、無線通信分野に関し、より具体的に、マルチキャリア通信システムにおける上り応答信号（uplink  response  signal）の伝送に関する。
【背景技術】
【０００２】
LTE（long  term  evaluation、ロングタームエボリューション）通信システムでは、物理上り制御チャネル（PUCCH：physical  uplink  control  channel）が上り制御情報の伝送のために用いられ、上り制御情報は、下りデータに用いる応答信号ACK/NACK/DTX（DTX：discontinuous  transmission、不連続送信）、チャネル状態情報（CSI）等を含み、そのうち、ACKは、データが正確に受信されていることを表し、NACKは、データが誤って受信されていることを表し、DTXは、UEが下り制御データを受信していない、即、下りデータの送信をスケジューリングする制御シグナリングを受信していないことを表す。PUCCHに送信の応答信号は、それぞれ、１つの物理チャネルリソース、１つの時間領域シーケンス及び１つの周波数領域シーケンスに対応する。この３つのリソースは、２つのパラメータに関連する。１つのパラメータは、システムの上位層（upper  layer）が構成（configure）する全てのセル中のユーザ装置（UE：user  equipment）が使用する同じパラメータN1である。もう１つのパラメータは、応答信号が対応する、この下りデータをスケジューリングする物理下り制御チャネル（PDCCH：physical  downlink  control  channel）の第１個のCCE（control  channel  element）のインデックスに関連する。具体的に言えば、N1は、上りサブフレームに応答信号を伝送するPUCCHが周波数領域における始点位置を決めており、このパラメータは、セル内の全てのUE又は移動端末に共有される。PDCCHの第１個のCCEのインデックスは、この始点位置とともに、このPDCCHにスケジューリングのUEが上り制御シグナリングを伝送する時に実際に採用する物理リソース及びシーケンスリソースを決めている。例えば、図1に示すようである。
【０００３】
図2は、LTE  FDD（周波数分割複信）システムにおける応答信号の送信タイミングを示す図である。LTE  FDDシステムでは、上りサブフレーム及び下りサブフレームが１対１に対応する。即ち、システム中の何れか１つのUEに関しては、１つの上りサブフレームにおいて、それに対応する一つのみの下りサブフレームデータの応答信号値を伝送する。１つの下りサブフレームに伝送のデータは、最大でも２つのトランスポートブロック（TB：transport  block）しか含まず、即ち、２bit（ビット）の応答信号を有する。この２bitの信号は、伝送前に予めQPSK（四位相偏移変調）シンボルに変調する必要があり、それから、対応する物理リソース及びシーケンスリソースにマッピングする。
【０００４】
LTE  TDDシステムでは、７種類の上り、下りサブフレームの構成が定義されており、大多数のサブフレームの構成では、上りサブフレーム及び下りサブフレームは、多くの場合に、１対多であり、即ち、システム中の何れか１つのUEに関しては、１つの上りサブフレームにおいて、それに対応する複数の下りサブフレームの応答信号値を伝送する必要がある。LTE  FDD及びTDDシステムのある上り、下りサブフレームの構成が対応するACK/NACKの送信タイミングは、図2に示すようである。
【０００５】
LTE  TDDシステムでは、チャネル選択（channel  selection）と称される方法を採用し、１つの上りサブフレームにおいて、複数の下りサブフレームデータが対応する応答信号を伝送する。具体的には、次のステップを含む。
【０００６】
1.  下りサブフレームが２つのTBを有すれば、この２つのTBの応答信号をバンドリング（bundling）する。
【０００７】
2.  バンドリング後の応答信号値に従って、ルックアップテーブルを用いて変調後のシンボル値、及び、対応する物理リソース及びシーケンスリソースを確定する。
【０００８】
表1は、２つの下りサブフレームが１つの上りサブフレームに対応する応答信号のフィードバック方法を示す。表1に示すように、UEが２つのサブフレームにおいて検出した応答信号が（ACK、ACK）であれば、第１個のサブフレームの、このUEが下り信号の伝送を行うことをスケジューリングするPDCCHの最低（最小）のCCEのインデックスn1を選択し上りの物理リソース及びシーケンスリソースにマッピングし、且つ、変調シンボル（modulated  symbol）の値が（1、1）である。２つのサブフレームが対応する応答信号が（ACK、NACK/DTX）であれば、第0個のサブフレームのPDCCHの最低のCCEのインデックスn0を選択し上りの物理リソース及びシーケンスリソースにマッピングし、且つ、変調シンボルの値が（0、1）である。他のチャネル選択方式は、表1に従って類推することができる。
【０００９】
表1は、LTEシステムにおける2bitの応答信号のチャネル選択方法を示す。
【表１】
2013535925.tif 000003
【００１０】
LTE-Advanced（LTEアドバンスド；LTE-Aとも称され）システムでは、キャリアアグリゲーション（carrier  aggregation）方式を採用してデータを伝送し、下り及び上りでは、複数のコンポーネントキャリア（CC：component  carrier）を含み、各々のコンポーネントキャリアでは、システム中の移動端末に、上りデータ送信及び下りデータ送信をスケジューリングすることができる。システムは、各UEに、１つのプライマリコンポーネントキャリア（PCC：primary  component  carrier）及び複数のセカンダリコンポーネントキャリア（SCC：secondary  component  carrier）を構成/起動（configure/activate）する。プライマリコンポーネントキャリア及びセカンダリコンポーネントキャリアは、それぞれ、自分のコンポーネントキャリア中のデータ送信をスケジューリングすることができる。プライマリコンポーネントキャリアは、セカンダリコンポーネントキャリアのデータ送信をケジューリングすることもでき、この種類のスケジューリング方式は、クロスコンポーネントキャリアスケジューリング（Cross  Component  Carrier  Scheduling）と称される。また、システム中の何れか１つのUEに関して、LTE-Advancedシステムでは、その上りプライマリコンポーネントキャリアにおいて、構成/起動されている全ての下りコンポーネントキャリアに対応する制御情報、例えば、各下りコンポーネントキャリアデータの応答信号、下りコンポーネントキャリアチャネルの状態情報等をフィードバックすることが決定されている。システムでは、シグナリングを採用して、プライマリコンポーネントキャリアに対して、対（ペア）にすることを行う。システムでは、同じ数の上りコンポーネントキャリア及び下りコンポーネントキャリアが存在すれば、上りコンポーネントキャリア及び下りコンポーネントキャリアが１対１に対（ペア）になり、下りコンポーネントキャリアの数が上りコンポーネントキャリアの数より大きれば、複数の下りコンポーネントキャリアが同じ１つの上りコンポーネントキャリアと対（ペア）になる。任意の２つのUEに関しては、下りプライマリコンポーネントキャリアが同じであれば、上りプライマリコンポーネントキャリアも同じである。
【００１１】
LTE-Advancedでは、最大で4bitの応答信号のフィードバックをサポートするUEについて、チャネル選択の方式を採用して応答信号のフィードバックを行うことが決定されている。LTE  TDDシステムでは、全てのUEについて、同じ上り、下りサブフレームの構成を採用するが、これと異なり、LTE-Advancedシステムでは、異なる移動端末が、異なる上り、下りコンポーネントキャリアを採用してデータを伝送することができる。しかし、この場合、如何に少ないリソースで応答信号のフィードバックを行うかという問題が存在する。
【発明の概要】
【発明が解決しようとする課題】
【００１２】
以下、本発明について簡単に概説し、これにより、本発明へのいくつかの側面における基本理解を提供する。理解すべきは、この概説は、本発明の網羅的な説明ではなく、本発明のキーポイント又は重要な部分を確定するためのものではなく、また、本発明の範囲を限定するためのものでもない。また、この概説の目的は、単に、簡単な形式でいくつかの概念を述べることにあり、また、この概説は、後述の更なる説明の前書きとされる。
【００１３】
本発明の目的は、上述の問題に鑑み、上り応答信号を伝送する方法、移動端末及びマルチキャリア通信システムを提供することにある。
【課題を解決するための手段】
【００１４】
本開示の一側面によれば、マルチキャリア通信システムにおいて上り応答信号を伝送する方法が提供される。このマルチキャリア通信システムでは、各上りコンポーネントキャリアが一組の下りコンポーネントキャリアに関連し、一組の下りコンポーネントキャリアはマルチキャリア通信システムにおける全ての下りコンポーネントキャリアの一部である。上述の方法は、上りプライマリコンポーネントキャリアにおいて、該上りプライマリコンポーネントキャリアに関連する各下りコンポーネントキャリアに上り制御チャネルリソースを割り当てるステップと、応答信号の状態に基づいて、割り当てられた上り制御チャネルリソースから、上り応答信号を伝送するための上り制御チャネルリソースを選択し、変調シンボルマッピングを選択するステップと、選択された上り制御チャネルリソース及び変調シンボルマッピングを利用して上り応答信号を伝送するステップと、を含む方法。
【００１５】
また、本開示の他の側面によれば、移動端末が提供される。この移動端末は、マルチキャリア通信システムに用いる。このマルチキャリア通信システムでは、各上りコンポーネントキャリアが一組の下りコンポーネントキャリアに関連する。この一組の下りコンポーネントキャリアは、マルチキャリア通信システム中の全ての下りコンポーネントキャリアの一部である。上述の移動端末は、上りプライマリコンポーネントキャリアにおいて、該上りプライマリコンポーネントキャリアに関連する各下りコンポーネントキャリアに上り制御チャネルリソースを割り当てるためのリソース割り当てユニットと、応答信号の状態に基づいて、割り当てられた上り制御チャネルリソースから、上り応答信号を伝送するための上り制御チャネルリソースを選択し、変調シンボルマッピングを選択するための選択ユニットと、選択された上り制御チャネルリソース及び変調シンボルマッピングを利用して前記上り応答信号を伝送するための伝送ユニットと、を含む。
【００１６】
また、本開示の他の側面によれば、マルチキャリア通信システムが提供される。このマルチキャリア通信システムは、基地局及び上述の移動端末を含む。
【００１７】
本発明によれば、比較的少ないリソースで応答信号のフィードバックを行うことができる。
【図面の簡単な説明】
【００１８】
以下、添付した図面を参照しながら本発明の実施例を説明することにより、本発明の以上及び他の目の、特徴及び利点を更に容易に理解することができる。なお、図面中の部品は、本発明の原理を示すためだけのものである。また、図面中の同じ又は類似の技術的特徴又は部品は、同じ又は類似の参照符号により表される。
【図１】LTEシステムにおける上り、下り制御チャネルのマッピングを示す図である。
【図２】LTE  FDDシステムにおける応答信号の送信タイミングを示す図である。
【図３】LTE  TDDシステムにおける応答信号の送信タイミングを示す図である。
【図４】本開示の実施例による上り応答信号の伝送方法のフローチャートである。
【図５】本開示の実施例におけるシステムコンポーネントキャリア構成を示す図である。
【図６】本開示の実施例による移動端末を示す図である。
【図７】本開示の他の実施例による上り応答信号の伝送方法のフローチャートである。
【図８】本開示の実施例によるマルチキャリア通信システムを示す図である。
【図９】本開示の実施例による基地局を示す図である。
【発明を実施するための形態】
【００１９】
以下、添付した図面を参照しながら本発明の実施例について説明を行う。なお、本発明の一つの図面又は一つの実施例に記載の要素及び特徴は、一つ以上の他の図面又は実施例に示す要素及び特徴と組み合わせることができる。また、明確にするために、図面及び説明には、本発明と関係がなく、当業者に既知の部品及び処理の図示及び記載が省略される。
【００２０】
以下の部分の内容は、3GPPのLTE  Advancedシステムを例として、本開示の実施例を説明するものである。なお、理解すべきは、本発明は、LTE  Advancedシステムに限定されず、キャリアアグリゲーション機能を有する他の類似するマルチキャリア通信システムにも適用できる。
【００２１】
図4は、本開示の実施例による上り応答信号の伝送方法のフローチャートである。図4に示す方法は、マルチキャリア通信システムに用いる。このマルチキャリア通信システムでは、各上りコンポーネントキャリアが一組の下りコンポーネントキャリアに関連する。この一組の下りコンポーネントキャリアは、マルチキャリア通信システム中の全ての下りコンポーネントキャリアの一部である。
【００２２】
ステップ402では、上りプライマリコンポーネントキャリアにおいて、それに関連する各下りコンポーネントキャリアに上り制御チャネルリソースを割り当てる。
【００２３】
ステップ404では、応答信号の状態に基づいて、割り当てられた上り制御チャネルリソースから、上述の上り応答信号を伝送するための上り制御チャネルリソースを選択し、変調シンボルマッピング（modulated  symbol  mapping）を選択する。
【００２４】
ステップ406では、選択された上り制御チャネルリソース及び変調シンボルマッピングを利用して上り応答信号を伝送する。
【００２５】
本実施例では、各上りコンポーネントキャリアにおいて、全ての下りコンポーネントキャリアに上り制御チャネルリソースを割り当てる必要がないので、システムの上りリソースを減少させることができる。
【００２６】
１つの例では、このリソースの保留は、上りCCにおいて、それに関連する各下りCCにリソースを独立で割り当て、各下りCCが上りPCCにおいて対応するPUCCHが周波数領域における開始位置を異ならせるとの方式を採用することができる。例えば、各下りCCに異なるパラメータN1を構成することができ、このパラメータは、各下りCCが上りPCCにおいて対応するPUCCHが周波数領域における開始位置を確定するために用いられる。パラメータN1は、上位層により構成され得る。言い換えると、各下りCCに異なるパラメータN1を設置することにより、各下りCCが上りPCCにおいて対応するPUCCHが互いに重なり合わないようにさせることができる。なお、上位層の設定により如何にパラメータN1を設置するかは、当業者により実現され得るので、ここでは、その詳細な説明を省略する。
【００２７】
また、１つの例では、基地局が移動端末（UE）にデータの送信をスケジューリングする時に、まず、この移動端末に割り当てられている下りPCC及び上りPCCを確定し、次に、下りPCCにおいてデータの送信を優先にスケジューリングし、また、基地局は、上りPCCに関連する一組の下りコンポーネントキャリア中の他の下りCCを構成/起動し、この下りCCにおいて、この移動端末にデータの送信をスケジューリングすることもできる。又は、下りPCCは、この下りCCをクロスコンポーネントキャリアスケジューリングし、このUEにデータを送信することができる。また、基地局は、上りPCCに関連する一組の下りコンポーネントキャリア以外の下りCCを構成/起動し、下りPCCにより他の下りCCをクロスコンポーネントキャリアスケジューリングする方式でこのUEへのデータ送信を行うこともできる。
【００２８】
図5は、本開示の実施例におけるシステムコンポーネントキャリア構成を示す図である。図5では、システムでは、4個の下りコンポーネントキャリア及び2個の上りコンポーネントキャリアを含む。システム中の１つのUEは、その下りPCCがDL  CC1であり、もう１つのUEは、その下りPCCがDL  CC2である。システムの初期構成時に、DL  CC1及びDL  CC2は上りCC1と対（ペア）になる（又は、関連する）ことが既に確定されており、即ち、この２つのUEの上りPCCは、ともに、UL  CC1である。UL  CC1に関連する一組の下りコンポーネントキャリアには、DL  CC1及びDL  CC2が含まれる。UL  CC1は、DL  CC1及びDL  CC2に、それぞれ、上り制御シグナリングリソースを割り当てている。UL  CC2に関連する一組の下りコンポーネントキャリアには、DL  CC3及びDL  CC4が含まれる。UL  CC2は、DL  CC3及びDL  CC4に、それぞれ、上り制御シグナリングリソースを割り当てている。
【００２９】
次に、各種の具体的な場合において、割り当てられた上り制御チャネルリソースを利用して上り応答信号を伝送する例を紹介する。
【００３０】
・場合1：基地局が移動端末に下りPCCのみを構成/起動している
この場合、下りPCCにおいてこのUEのデータが１つのTBであるかそれとも２つのTBであるかに基づいて、それぞれ、BPSK（二位相偏移変調）又はQPSKの方式を採用して、この下りPCCに割り当てられた上りPUCCHリソースにおいて応答信号を伝送することができる。この場合、チャネル選択を行う必要がない。この場合、当業者が応答信号の伝送を実現することができる。本開示の実施例は、主に、基地局がUEのために複数のCCを構成/起動している場合に関する。
【００３１】
・場合2：基地局がUEに2個のCCを構成/起動している
この場合、PCCの他に、基地局は、UEにデータを送信するためのもう１つのCCを割り当てている。この時に、チャネル選択を行う必要があり、また、QPSKの方式を採用して、選択されたリソースにおいて応答信号の伝送を行うことができる。場合2は、更に次の２つの場合に分けることができる。
【００３２】
1）  割り当てられたもう１つのCCが、このUEの上りPCCに関連する一組の下りコンポーネントキャリアに無い。この場合、この割り当てられたもう１つのCCにおけるデータ伝送は、PCCのクロスコンポーネントキャリアスケジューリングにより完成される。
【００３３】
2）  割り当てられたもう１つのCCが、このUEの上りPCCに関連する一組の下りコンポーネントキャリアにある。この場合、この割り当てられたもう１つのCCが自分でデータの送信をスケジューリングすることができ、又は、PCCによりこのCCをクロスコンポーネントキャリアスケジューリングすることによってデータの送信を行うことができる。
【００３４】
また、各CCにおいてこのUEのために伝送のTBの数に基づいて、表2に示すように、9種類の状態を得ることができる。
【００３５】
表2は、2個のCCである時の9種類の状態を示す。
【表２】
2013535925.tif 000004
【００３６】
例えば、表2の第1種類の状態は、PCC及びSCCにデータの送信が無いことを示し、第2種類の状態は、PCCに1個のTBがあり、SCCに0個のTBがあることを示す。また、PCC及びSCCのスケジューリングの優先順位に従って、表中の状態を次の３種類に分けることができる。
【００３７】
1）  第1種類：PCC上のTBの数がSCC上のTBの数以上であり、即ち、表中の第1〜6種類の状態である。
【００３８】
2）  第2種類：PCC上のTBの数がSCC上のTBの数より小さく、PCCに1個のTBがあり、即ち、表中の第7種類の状態である。
【００３９】
3）  第3種類：PCC上のTBの数がSCC上のTBの数より小さく、PCCに0個のTBがあり、即ち、表中の第8〜9種類の状態である。この状態は、即ち、PCCにデータ送信のスケジューリングが無いが、SCCにデータ送信のスケジューリングがあるとの状態である。
【００４０】
LTE  TDDシステムのチャネル選択は、選択されたリソースにおいてQPSKを使用して応答信号を送信し、チャネル選択を行うために必要なリソースの数は、応答信号のビット数に等しく、例えば、最大で4個のbitの応答信号の伝送を保証するために、選択可能なリソースの数が4個必要である。LTE  TDDシステムでは、UEが、応答信号をフィードバックする前に、まず、2個のTBを含むサブフレームの２つの応答信号をバンドリングするので、チャネル選択時に、リソースが足りない状況が存在しない。しかし、キャリアアグリゲーションのチャネル選択に関しては、応答信号のバンドリングが無く、各コンポーネントキャリアにおいて対応する全てのTBの応答信号をフィードバックする必要があるので、基地局が、あるコンポーネントキャリアにおいて、ある移動端末に２つのTBを送信しており、また、依然として、最低のCCEのインデックスがマッピングするリソースのみを、その中の選択可能なリソースとして使用する場合、チャネル選択時に、リソースが足りない状況が存在し、この時の解決案は、次のようなものを含む。
【００４１】
1）  基地局が、ある下りCCにおいて、あるUEに2個のTBを割り当ていれば、このデータ送信をスケジューリングするPDCCHの最低のCCEのインデックスが１つのリソースとされ、他のリソースが上位層より構成される。
【００４２】
2）  基地局が、ある下りCCにおいて、あるUEに2個のTBを割り当ていれば、この下りCCにおいてこの2個のTBをスケジューリングするPDCCHが少なくとも２つのCCEを含み、且つ、最低の２つのCCEのインデックスがマッピングするリソースを、その中の２つのリソースとする。
【００４３】
3）  基地局が、ある下りCCにおいて、あるUEに2個のTBを割り当ていれば、この下りCCにおいてこのデータ送信をスケジューリングするPDCCHの最低のインデックスがマッピングするリソースを１つのリソースとし、もう１つのリソースが、このCCEのインデックスから1を減算した後のCCEのインデックスがマッピングするリソースであるようにする。
【００４４】
当業者は、他の技術案を使用して、リソースが足りないという問題を解決することもできるので、ここでは、その詳細な説明を省略する。
【００４５】
以下の例では、設計されているチャネル選択方式が、1/2/3/4個のbitの応答信号の伝送に用いられるので、少なくとも4個のCCEのインデックスが選択項（オプション）になる必要がある。次には、4個のCCEのインデックスをそれぞれ（n0、n1、n2、n3）にする。また、便宜のために、CCEのインデックスを用いて、そのマッピングするリソースを表すこともできる。
【００４６】
表3は、移動端末に2個の下りCC（CC1及びCC2）を構成/起動している時に、チャネル選択のために設計されている例1を示し、そのうち、CC1はPCC、CC2はSCCである。この例には、上述の全ての３種類の状態が含まれる。表には、AはACK、NはNACK、DはDTX、XはこのTBが存在しないこと、即ち、対応する下りデータのTBが存在しないことをそれぞれ表す。SF1〜4は、サブフレーム1〜4を表す。状態Xは、LTE  Aシステムに新しく加わった応答信号の１つの状態である。
【００４７】
表3は、2つのコンポーネントキャリア信号のチャネル選択方法の例1を示す。
【表３】
2013535925.tif 000005
【００４８】
本例中の状態の組み合わせ及びリソースの選択と、LTE  TDDシステム中のものとを比較するために、表3には、設計されているLTE  Aシステムのチャネル選択方式が表の左側に置かれ、LTE  TDDシステムのチャネル選択方式が表の右側に置かれ、且つ、LTE  Aシステムの応答信号の組み合わせが、LTE  TDDシステムの応答信号から拡張されているものであり、即ち、各行が同じ番号のCCEを採用して物理リソース及びシーケンスリソースにマッピングし、また、同じ変調シンボルを採用する。例えば、表2中の第1種類の応答信号の状態が（A、A、A、A）である時に、LTE  Aシステム及びLTE  TDDシステムは、ともに、１個目のCCEのインデックスn1がマッピングするリソースを採用し、また、変調シンボルは（1、1）である。
【００４９】
また、この例では、LTE  Aシステムの応答信号の状態における前の２つの応答は、CC1が送信するデータが対応する応答であり、後の２つの応答は、CC2が送信するデータが対応する応答である。
【００５０】
以下は、本開示の実施例による、移動端末に2個の下りCCを構成/起動する時に設計されているチャネル選択方式の設計規則である。
【００５１】
1）  LTE  Aシステムの応答信号の状態における前の２つの応答は、CC1のTBに対応する応答であるため、これを例とし、同じ下りCCに対しての１つの応答がA又はNである時は、このTBをスケジューリングするPDCCHが既に成功裏にリリースされていることを表すので、もう１つの応答はDである可能性が無い。応答3、4は、これに類似する。例えば、表中の第5種類の応答信号の状態のように、対応するLTE  TDDシステム中の応答信号の状態は（A、N/D、A、A）であるため、ここでは、（A、N/X、A、A）に変更する。
【００５２】
また、LTE  TDDシステム中の１つの状態は、第19種類の応答信号の状態（N、D、D、D）であり、この規則に基づいて、この状態は、LTE  Aシステムに存在しない。この状態のLTE  Aシステムにおける状態は、第19種類の応答信号状態（N、N/X、D、D）に変更する。
【００５３】
LTE  TDDシステム中の１つの状態は、第16種類の応答信号状態（N/D、N/D、N、D）であり、この規則に基づいて、この状態は、LTE  Aシステムに存在しない。この状態のLTE  Aシステムにおける状態は、第16種類の応答信号の状態（N/D、N/D/X、N、N/X）に変更する。
【００５４】
LTE  TDDシステム中の１つの応答信号の状態は、第20種類の応答信号状態（N/D、N、D、D）であり、この規則に基づいて、この状態は、LTE  Aシステムに存在しない。この状態のLTE  Aシステムにおける状態は、第19種類の応答信号の状態（N、N/X、D、D）に変更する。
【００５５】
LTE  TDDシステム中の１つの状態は、第18行（N/D、N/D、N/D、N）であり、この規則に基づいて、この状態は、LTE  Aシステムに存在しない。この状態のLTE  Aシステムにおける状態は、第16種類の応答信号状態（N/D、N/D/X、N、N/X）に変更する。
【００５６】
上述の説明に従ってLTE  TDDシステム中の応答信号の状態を変更した後に、LTE  Aシステム中の応答信号の状態の総数は、18個になる。
【００５７】
2）  下りCCにおいてTBを1個送信する可能性があり、又は、TBを2個送信する可能性もあるので、LTE  TDDシステムでは、N及びDを組み合わせて類似を表すことができ、LTE  Aシステムでは、下りCCにおける第二TBのN及びXを組み合わせて表すことができる。例えば、表3中の第2種類の応答信号の状態のように、応答信号の状態は、（A、A、A、N/X）であり、第１個のCCにおいて２つのTBを送信しており、第2個のCCにおいて送信しているTBの数が1又は2であることを表し、２つのTBを送信していれば、応答信号の状態が（A、A、A、N）であることを表し、１つのみのTBを送信していれば、応答信号の状態が（A、A、A、X）であり、第２個のCCにTBが存在しないことを表す。対応するLTE  TDDシステム中の応答状態は、（A、A、A、N/D）である。
【００５８】
3）  同じCCが２つのTBに対応すれば、第１個のTBを送信せず、第2個のTBを送信するとの状況が存在しないので、あるCCが対応する応答信号は、（D、A）、（D、N）の応答信号の状態を有しない。例えば、表中の第13種類の応答信号の状態は、（N/D、N/D/X、A、A）であり、それに含まれる応答信号の状態は、（N、N、A、A）、（N、X、A、A）、（D、D、A、A）であり、（D、N、A、A）等は含まれていない。
【００５９】
4）  上述の規則を満たす前提で、N、D、Xを組み合わせて表すことができ、例えば、表中の第4種類の応答信号の状態は、（A、A、N/D、N/D/X）であり、その表すことが可能な応答信号の状態は、第１個のCCが対応して送信する２つのTBが対応する応答状態が（A、A）であり、第2個のCCにおいてTBを送信しない可能性があり、応答信号の状態が（D、D）であり、第2個のCCにおいて１つのTBを送信しており、応答信号の状態が（N、X）であり、第2個のCCにおいて２つのTBを送信しており、応答信号の状態が（N、N）である。なお、第１個及び第３個の設計規則に基づいて、（D、N）、（N、D）の２種類の応答信号の状態は存在せず、（D、X）状態は（D、D）状態と同じであり、移動端末がデータを検出していないことを表す。また、この応答状態が対応するLTE中の応答状態は、（A、A、N/D、N/D）である。
【００６０】
5）  全ての応答がDである時に、LTE  TDDシステムと同様に、UEは、信号を送信しない。表中の第17種類の応答信号の状態に対応する。
【００６１】
6）  第１個の応答状態がXであることが許されない（不可能である）。即ち、下りPCCの第１個のトランスポートブロックに対しての応答がXであることがあり得ない。
【００６２】
また、上述のように、この表は、更に、出現概率が比較的小さい次のような場合をも含む。
【００６３】
1）  PCCに１つのTBがあるが、SCCに最大で２つのTBがある。PCCのTBの応答信号がACKであれば、表中の第5乃至第8種類の応答信号の状態に対応し、PCC上の応答がNACKであれば、表中の第13乃至第16種類の応答信号の状態に対応する。例えば、表中の第13種類の応答信号の状態は、（N/D、N/D/X、A、A）であり、そのうち、応答信号の状態（N、X、A、A）を含み、即ち、CC1に１つのTBがあり、CC2に２つのTBがある場合を表す。
【００６４】
2）  PCCに0個のTBがあるが、SCCに最大で２つのTBがある。表中の第13乃至第16行に対応する。例えば、表中の第13種類の応答信号の状態は、（N/D、N/D/X、A、A）であり、そのうち、応答信号の状態（D、D、A、A）を含み、即ち、CC1に0個のTBがあり、CC2に２つのTBがある場合を表す。
【００６５】
なお、このチャネル選択表における各種類の状態に含まれる実際の応答信号の状態は、多種あるかもしれないが、基地局は、事前に、ある移動端末にどのCCにおいてデータを送信し、及び、各CCにおいて送信するデータがいくつかのTBを含むかを知っているので、基地局は、上述の規則に基づいて、チャネル選択表中の応答信号の状態を調整することができる。
【００６６】
表4は、移動端末に2つの下りCC（CC1及びCC2）を構成/起動する時に、チャネル選択のために設計されている例2を示す。そのうち、CC1はPCC、CC2はSCCである。例1と比較すれば、この例では、同じリソース及び変調シンボルを用いて、異なる応答信号の状態の組み合わせにマッピングする回数が減少している。例1に示す表3では、LTE  TDDシステムは、リソースn1及びb（0）、b（1）=（1、0）を用いて、３つの状態、即ち、表中の第2、3、4種類の応答信号の状態を表しており、この３種類の応答信号の状態における前の２つの応答は全てACKである。即ち、UEは、n1がマッピングするリソースにより、シンボル（1、0）を送信していれば、基地局は、前の２つのサブフレームのデータが正確に受信されていることしか判定できない。また、リソースn3及びb（0）、b（1）=（0、1）を用いて、３種類の応答状態、即ち、表中の第5、9、13種類の応答信号の状態を表しており、この３種類の応答信号の状態における後の２つの状態は全てACKである。即ち、UEは、n3がマッピングするリソースにより、シンボル（0、1）を送信していれば、基地局は、後の２つのサブフレームのデータが正確に受信されていることしか判定できない。この例では、LTE  Aシステムの応答状態の総数がLTE  TDDシステムより２つ少ないので、この例では、第2種類の応答信号の状態を、リソースn1を採用してマッピングし、シンボルb（0）、b（1）=（0、0）を用いて送信する状態に変更し、即ち、例1中の第20種類の応答信号の状態のリソース及び変調シンボルを採用し、また、第2種類の応答信号の状態を変更せず、第3、4種類の応答信号の状態を、このリソースを採用してマッピングし及びこの変調シンボルを用いて送信する状態に変更してもよい。第5種類の応答信号の状態を、リソースn3を採用してマッピングし、シンボルb（0）、b（1）=（1、1）を用いて送信状態に変更し、即ち、例1中の第18種類の応答信号の状態のリソース及び変調シンボルを採用し、また、第5種類の応答信号の状態を変更せず、第9、13種類の応答信号の状態を、このリソースを採用してマッピングし及びこの変調シンボルを用いて送信状態に変更してもよい。
【００６７】
表4は、2つのコンポーネントキャリアの信号チャネル選択方法の例2を示す。
【表４】
2013535925.tif 000006
【００６８】
表5は、移動端末に2つの下りCC（CC1及びCC2）を構成/起動する時に、チャネル選択のために設計されている例3を示し、そのうち、CC1はPCC、CC2はSCCである。この表は、例2を基礎とするが、例2と比較すれば、この例では、優先順位が最低である第３種類の状態を考慮せず、言い換えると、プライマリコンポーネントキャリアに対しての応答が全てD又はXであり、セカンダリコンポーネントキャリアに対しての応答が全てD又はXでない状態を考慮しない。変更する必要があるのは、表中の第13乃至第16種類の応答信号の状態であり、第１個のTBが対応する応答信号の応答をN/DからNに変更し、第2個のTBが対応する応答をN/D/XからN/Xに変更する。
【００６９】
表5は、2つのコンポーネントキャリアの信号チャネル選択方法の例3を示す。
【表５】
2013535925.tif 000007
【００７０】
表6は、移動端末に2つの下りCC（CC1及びCC2）を構成/起動する時に、チャネル選択のために設計されている例4を示し、そのうち、CC1はPCC、CC2はSCCである。この例の１つの原則は、移動端末に2個のCCを構成/起動しているが、PCCのみにおいてデータ送信をスケジューリングしている時に、選択されるリソースがn0であることを保証することであり、n0は、下りPCCにおいて、この移動端末がデータを送信することをスケジューリングする制御シグナリングの最低のCCEのインデックスである。利点は、移動端末に余計なリソースを割り当てる必要がないことにある。例3の表を基礎とし、変更を行う必要があるのは、応答信号のビットが3及び4で、状態がN/D/Xである状態、即ち、第4、8、12及び18種類の応答信号の状態であり、例えば、第4種類の応答信号の状態中のリソースをn1からn0に変更し、変調シンボルを（1、0）から（0、0）に変更する。第12種類の応答信号の状態のリソースを、n1からn0に変更し、変調シンボルを変更しない。第7種類の応答信号の状態中のリソースを、n0からn2に変更し、これにより、第12種類の応答信号の状態中のリソースと衝突しないことを保証することができ、他の変更方式もよい。
【００７１】
表6は、2つのコンポーネントキャリアの信号チャネル選択方法の例4を示す。
【表６】
2013535925.tif 000008
【００７２】
・場合3：基地局がUEに3個のCCを構成/起動している
この場合、PCCの他に、このUEにデータを送信することができるもう２つのCCを割り当てており、この場合、チャネル選択を行う時に、次のような場合に分けることができる。
【００７３】
1）  割り当てられたもう2つのCCがこのUEの上りPCCに関連する一組の下りコンポーネントキャリアに無い。この場合、この割り当てられたもう2つのCCにおけるデータ伝送は、PCCのクロスコンポーネントキャリアスケジューリングに完成される。
【００７４】
2）  割り当てられたもう2つのCCのうちの１つが上りPCCに関連する一組の下りコンポーネントキャリアにあり、もう１つが上りPCCに関連する一組の下りコンポーネントキャリアに無い。この場合、集合（セット）中のCCは、自分で、データ送信をスケジューリングすることができ、又は、PCCにより、このCCをクロスコンポーネントキャリアスケジューリングすることによってデータ送信を行い、集合外のCCは、PCCのクロスコンポーネントキャリアスケジューリングにより完成される。
【００７５】
3）  割り当てられたもう2つのCCが全て、上りPCCに関連する一組の下りコンポーネントキャリアにある。この場合、この割り当てられたもう2つのCCは、自分で、データ送信をスケジューリングすることができ、又は、PCCにより、このCCをクロスコンポーネントキャリアスケジューリングすることによってデータ送信を行う。
【００７６】
この他、各CC上伝送のTBの数に基づいて、表6に示すように、23種類の状態を得ることができる。例えば、第1種類の状態は、PCC及び２つのSCCにおいてデータ送信が無いことを表し、第2種類の状態は、PCCに1個のTBがあり、SCC1及びSCC2に0個のTBがあることを表す。PCC及びSCCのスケジューリングの優先順位に基づいて、表中の状態を次の３種類に分けることができる。
【００７７】
1）  第1種類：PCC上のTBの数がSCC上のTBの数以上であり、満足の状態のインデックスは、1-11である。
【００７８】
2）  第2種類：PCC上のTBの数がSCC上のTBの数より小さく、PCCに1個のTBがあり、満足のインデックスは、12-15である。
【００７９】
3）  第3種類：PCC上のTBの数がSCC上のTBの数より小さく、PCCに0個のTBがあり、満足のインデックスは16-23である。この状態は、即ち、PCCにデータ送信のスケジューリングがないが、SCCにデータ送信のスケジューリングがある状態である。
【００８０】
表7は、3個のCCである時の23種類の状態を示す。
【表７】
2013535925.tif 000009
【００８１】
・場合4：基地局がUEに4個のCCを構成/起動している
この場合下、PCCの他に、このUEにデータを送信するためのもう３つのCCを割り当てており、その分類は、場合2及び場合3に従って類推することができる。
【００８２】
3個及び4個のCCである時におけるチャネル選択方式は、同じ方式を採用する。3個のコンポーネントキャリアを例とし、表8は、移動端末に3つの下りCC（CC1、CC2及びCC3）を構成/起動する時に、チャネル選択のために設計されている例1を示す。そのうち、CC1はPCC、CC2及びCC3はSCCである。基地局がこのUEに3個のCCを構成/起動しているが、そのうちの1個又は2個のCCのみにおいて、このUEにデータを送信する可能性があるので、3個のCCのために設計されているチャネル選択表に、全ての2個のCCの応答信号の状態が含まれる必要がある。また、このUEに関しては、４個の応答の組み合わせは多種ある可能性があり、例えば、
1）  第1、2個の応答はCC1上のTBの応答に対応し、即ち、CC1上では、2個のTBを送信しており、第3、4個の応答はそれぞれCC2及びCC3上のTBの応答に対応し、即ち、CC2及びCC3上では、それぞれ、１個のTBを送信しており、
2）  第1個の応答はCC1上のTBの応答に対応し、即ち、CC1上では、１つのTBを送信しており、第2、3個の応答はCC2上のTBの応答に対応し、即ち、CC2上では、2個のTBを送信しており、第4個の応答はCC3上のTBの応答に対応し、即ち、CC3上では、1個のTBを送信している。
【００８３】
よって、設計されている表に関しては、第１の応答信号がA又はNであれば、第2個の応答信号がDであることが許されないとのような制限が存在しない。
【００８４】
表8は、  3/4個のコンポーネントキャリア信号のチャネル選択方法の例1を示す。
【表８】
2013535925.tif 000010
【００８５】
表8に示すように、3個のコンポーネントキャリアのために設計されているチャネル選択表は、5種類の状態、即ち、A、N、N/D/X、D、N/Dを含む。各種類の応答信号の組み合わせは多種あり、例えば、第１種類の応答信号の状態（A、A、A、A）は、次のような状態を含む。
【００８６】
1）  （A、A）、（A、A）、（D、D）
2）  （A、A）、（D、D）、（A、A）
3）  （A、X）、（A、X）、（A、A）
4）  （A、X）、（A、A）、（A、X）
5）  （A、X）、（A、X）、（A、A）
6）  （D、D）、（A、A）、（A、A）
そのうち、前の２つの応答は、CC1の送信データの応答を表し、第3、4個の応答は、CC2の送信データの応答を表し、第5、6個の応答は、CC3の送信データの応答を表す。それ相応に、1）及び2）の状態は、優先順位が最高である第１種類の状態であり、3）、4）、5）は、第2種類の状態であり、6）は、第3種類の状態である。
【００８７】
以下は、本開示の実施例による、移動端末に3又は4個の下りCCを構成/起動する時に設計されているチャネル選択方式の設計規則である。
【００８８】
1）  第１個の応答がXであることが許されず、言い換えると、下りPCCの第１個のトランスポートブロックに対する応答はXであることが不可能である。
【００８９】
2）  隣接する２つの応答が同じ下りコンポーネントキャリアの２つのトランスポートブロックに対しての応答であれば、応答信号の状態が2個のCCに設計されている規則に従う必要があり、例えば、この２つの応答のうち第１個はA又はNである時に、もう１つはDであることが許さない。
【００９０】
表9は、移動端末に3個の下りCC（CC1、CC2及びCC3）を構成/起動する時に、チャネル選択のために設計されている例2を示し、そのうち、CC1はPCC、CC2及びCC3はSCCである。例1と比較すれば、この実施例では、優先順位が最低である第３類状態を考慮せず、変更する必要があるのは、表中の第13種類の状態乃至第18種類の状態、及び第20種類の状態であり、第１個のTBが対応する応答をN/DからNにすればよい。
【００９１】
表9は、  3/4個のコンポーネントキャリアの信号チャネル選択方法の例2を示す。
【表９】
2013535925.tif 000011
【００９２】
2つのコンポーネントキャリアの例4を同様に、3/4個のコンポーネントキャリアについて同じ変更を行ってもよく、これにより、データがPCCのみにおいて送信される時に、リソースn0を選択し応答信号が送信する物理リソース及びシーケンスリソースにマッピングすることを保証する。
【００９３】
当業者が理解すべきは、表8及び表9は、移動端末に4個の下りCCを構成/起動する時におけるチャネル選択にも適用できる。
【００９４】
図6は、本開示の実施例による移動端末600を示す。移動端末600は、マルチキャリア通信システムに用いる。このマルチキャリア通信システムでは、各上りコンポーネントキャリアが一組の下りコンポーネントキャリアに関連する。この一組の下りコンポーネントキャリアは、マルチキャリア通信システム中の全ての下りコンポーネントキャリアの一部である。移動端末600は、リソース割り当てユニット602、選択ユニット604及び伝送ユニット606を有する。リソース割り当てユニット602は、上りプライマリコンポーネントキャリアにおいて、それに関連する各下りコンポーネントキャリアに上り制御チャネルリソースを割り当てるように構成される。リソース割り当てユニット602は、基地局から受信したシグナリングに基づいてリソースの割り当てを行うことができる。選択ユニット604は、応答信号の状態に基づいて、割り当てられた上り制御チャネルリソースから、上り応答信号を伝送するために用いる上り制御チャネルリソースを選択するように構成される。伝送ユニット606は、選択された上り制御チャネルリソースを利用して上り応答信号を伝送するように構成される。
【００９５】
１つの例では、リソース割り当てユニット602は、上りプライマリコンポーネントキャリアに関連する各下りコンポーネントキャリアが上りプライマリコンポーネントキャリアにおいて対応するPUCCHチャネルが周波数領域における開始位置を異ならせる。
【００９６】
１つの例では、応答信号の状態における、１つの下りコンポーネントキャリアに対しての１つの応答はA又はNであれば、同じ下りコンポーネントキャリアに対してのもう１つの応答はDではなく、そのうち、Aは、データが正確に受信されていることを表し、Nは、データが誤って受信されていることを表し、Dは、下り制御データが受信されていないことを表す。
【００９７】
１つの例では、選択ユニット604は、２つの応答信号の状態における、同じ下りコンポーネントキャリアの第2個のトランスポートブロックに対しての応答がそれぞれN及びXであり、且つ他の応答が同じである場合に、同じ上り制御チャネルリソース及び変調シンボルマッピングを選択して、上り応答信号を伝送するために用い、そのうち、Nは、データが誤って受信されていることを表し、Xは、対応する下りデータトランスポートブロックが存在しないことを表す。
【００９８】
１つの例では、応答信号の状態において、１つの下りコンポーネントキャリアの第１個のトランスポートブロックに対しての応答がXであることが許されず、Xは、対応する下りデータトランスポートブロックが存在しないことを表す。
【００９９】
１つの例では、同じ１つの下りコンポーネントキャリアに対しての２つの応答がそれぞれD及びA、又は、D及びNであることが許されず、そのうち、Aは、データが正確に受信されていることを表し、Nは、データが誤って受信されていることを表し、Dは、下り制御データが受信されていないことを表す。
【０１００】
１つの例では、１つ下りプライマリコンポーネントキャリア及び１つセカンダリコンポーネントキャリアのみが構成/起動されていれば、応答信号の状態は、次の表から選択される。
【表１０】
2013535925.tif 000012
【０１０１】
そのうち、応答1及び応答2は、下りプライマリコンポーネントキャリアの第一トランスポートブロック及び第二トランスポートブロックに対しての応答を表し、応答3及び応答4は、下りセカンダリコンポーネントキャリアの第一トランスポートブロック及び第二トランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表す。
【０１０２】
１つの例では、選択ユニット604は、１つの下りプライマリコンポーネントキャリア及び１つのセカンダリコンポーネントキャリアが構成/起動されている場合のみに、次の表に示す方式に従って、上り応答信号を伝送するために用いる上り制御チャネルリソース及び変調シンボルマッピングを選択する。
【表１１】
2013535925.tif 000013
【０１０３】
そのうち、リソースn0〜n3は、制御チャネル要素（CCE：control  channel  element）のインデックスがマッピングするリソースを表し、変調シンボルb（0）、b（1）は、変調シンボルの第１個のビット及び第2個のビットを表し、N/Aは、適用されないことを表す。
【０１０４】
１つの例では、選択ユニット604は、任意の３種類の応答信号の状態について、同じ上り制御チャネルリソース及び変調シンボルマッピングを選択しない。
【０１０５】
１つの例では、選択ユニット604は、１つの下りプライマリコンポーネントキャリア及び１つのセカンダリコンポーネントキャリアが構成/起動されている場合のみに、次の表に示す方式に従って、上り応答信号を伝送するための上り制御チャネルリソースを選択し、変調シンボルマッピングを選択する。
【表１２】
2013535925.tif 000014
【０１０６】
そのうち、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す。
【０１０７】
１つの例では、１つの下りプライマリコンポーネントキャリア及び１つのセカンダリコンポーネントキャリアが構成/起動されている場合のみに、応答信号の状態は、プライマリコンポーネントキャリアに対しての応答が全てD又はXであるが、セカンダリコンポーネントキャリアに対しての応答が全てD又はXでないという状態を含まず、そのうち、Dは、下り制御データが受信されていないことを表し、Xは、対応する下りデータトランスポートブロックが存在しないことを表す。
【０１０８】
１つの例では、選択ユニット604は、１つの下りプライマリコンポーネントキャリア及び１つのセカンダリコンポーネントキャリアが構成/起動されている場合のみに、次の表に示す方式に従って、上り応答信号を伝送するための上り制御チャネルリソース及び変調シンボルマッピングを選択する。
【表１３】
2013535925.tif 000015
【０１０９】
そのうち、応答1及び応答2は、下りプライマリコンポーネントキャリアの第一トランスポートブロック及び第二トランスポートブロックに対しての応答を表し、応答3及び応答4は、下りセカンダリコンポーネントキャリアの第一トランスポートブロック及び第二トランスポートブロックに対しての応答を表し、Aは、データが正確に受信されていないことを表し、Nは、データが誤って受信されていることを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す。
【０１１０】
１つの例では、選択ユニット604は、１つの下りプライマリコンポーネントキャリア及び１つ又は複数のセカンダリコンポーネントキャリアが構成/起動されており、且つ、下りプライマリコンポーネントキャリアのみにデータ送信のスケジューリングがある場合に、下りプライマリコンポーネントキャリアにおいて、移動端末600がデータを送信することをスケジューリングする制御シグナリングの最低の制御チャネル要素のインデックスn0がマッピングするリソースを選択して、上り応答信号を伝送するための上り制御チャネルリソースとする。
【０１１１】
１つの例では、選択ユニット604は、１つの下りプライマリコンポーネントキャリア及び１つのセカンダリコンポーネントキャリアが構成/起動されており、且つ下りプライマリコンポーネントキャリアのみにデータ送信のスケジューリングがある場合に、次の表に示す方式に従って、上り応答信号を伝送するための上り制御チャネルリソース及び変調シンボルマッピングを選択する。
【表１４】
2013535925.tif 000016
【０１１２】
そのうち、応答1及び応答2は、下りプライマリコンポーネントキャリアの第一トランスポートブロック及び第二トランスポートブロックに対しての応答を表し、応答3及び応答4は、下りセカンダリコンポーネントキャリアの第一トランスポートブロック及び第二トランスポートブロックに対しての応答を表し、Aは、データが正確に受信されていることを表し、Nは、データが誤って受信されていることを表し、Dは、下り制御データが受信されていないことを表し、Xは、対応する下りデータトランスポートブロックが存在しないことを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す。
【０１１３】
１つの例では、選択ユニット604は、１つの下りプライマリコンポーネントキャリア及び２つ又は３つのセカンダリコンポーネントキャリアが構成/起動されている場合のみに、次の表に示す方式に従って、上り応答信号を伝送するための上り制御チャネルリソース及び変調シンボルマッピングを選択する。
【表１５】
2013535925.tif 000017
【０１１４】
そのうち、応答1、応答2、応答3及び応答4は、異なる下りコンポーネントキャリアのトランスポートブロックに対して応答を表し、Aは、データが正確に受信されていることを表し、Nは、データが誤って受信されていることを表し、Dは、下り制御データが受信されていないことを表し、Xは、対応する下りデータトランスポートブロックが存在しないことを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す。
【０１１５】
1つの例では、選択ユニット604は、１つの下りプライマリコンポーネントキャリア及び２つ又は３つのセカンダリコンポーネントキャリアが構成/起動されている場合のみに、次の表に示す方式に従って、上り応答信号を伝送するための上り制御チャネルリソース及び変調シンボルマッピングを選択する。
【表１６】
2013535925.tif 000018
【０１１６】
そのうち、応答1、応答2、応答3及び応答4は、異なる下りコンポーネントキャリアのトランスポートブロックに対しての応答を表し、Aは、データが正確に受信されていることを表し、Nは、データが誤って受信されていることを表し、リソースn0〜n3は、制御チャネル要素のインデックスがマッピングするリソースを表し、変調シンボルb（0）、b（1）は、変調シンボルの第１個のビット及び第2個のビットを表し、N/Aは、適用されないことを表す。
【０１１７】
図6中の各ユニットの具体的な細部については、図4〜図5を用いて上り応答信号の伝送方法に対して行った上述の説明を参照するができるので、ここでは、その説明を省略する。
【０１１８】
図7は、本開示のもう１つの実施例による上り応答信号の伝送方法のフローチャートである。図7に示す方法は、マルチキャリア通信システムに用いる。このマルチキャリア通信システムでは、各上りコンポーネントキャリアが一組の下りコンポーネントキャリアに関連する。この一組の下りコンポーネントキャリアは、マルチキャリア通信システム中の全ての下りコンポーネントキャリアの一部である。
【０１１９】
ステップ702では、１つ又は複数の下りコンポーネントキャリアを用いて信号を伝送する。この信号は、基地局から移動端末に伝送されるものであってもよい。
【０１２０】
ステップ704では、上りプライマリコンポーネントキャリアにおいて、それに関連する各下りコンポーネントキャリアに上り制御チャネルリソースを割り当てる。
【０１２１】
ステップ706では、応答信号の状態に基づいて、割り当てられた上り制御チャネルリソースから、上述の上り応答信号を伝送するための上り制御チャネルリソースを選択し、変調シンボルマッピングを選択する。
【０１２２】
ステップ708では、選択された上り制御チャネルリソース及び変調シンボルマッピングを利用して上り応答信号を伝送する。
【０１２３】
ステップ710では、上り応答信号を受信する。
【０１２４】
ステップ704、706及び708は、それぞれ、図4中のステップ402、404及び406に類似するので、ここでは、その詳しい説明を省略する。
【０１２５】
図8は、本開示の実施例によるマルチキャリア通信システム800を示す。マルチキャリア通信システム800は、移動端末802及び基地局804を含む。移動端末802は、図6に示すような移動端末であってもよいので、ここでは、その詳しい説明を省略する。
【０１２６】
図9は、本開示の実施例による基地局900を示す。基地局900は、受信器902を含む。受信器902は、移動端末が、選択された上り制御チャネルリソース及び変調シンボルマッピングを利用して伝送した上述の上り応答信号を受信するように構成されてもよい。
【０１２７】
以上、本発明の一部の実施方式について詳しく説明したが、当業者が理解すべきは、本発明の方法及び装置の全部又は任意のステップ又は構成要素は、任意の計算設備（処理器及び記憶媒体などを含み）又は計算設備のネットワークの中で、ハードウェア、ファームウェア、ソフトウェア又はそれらの組み合わせにより実現され得る。これは、当業者が本発明の内容を把握した上で、彼らの基本的なプログラミングスキールによって実現することができるものであるので、ここでは、その詳しい説明を省略する。
【０１２８】
また、明らかであるように、上述の説明の中で外部操作について言及した時に、計算設備に関連する表示装置及び入力装置、それ相応のインターフェース及び制御プログラムなどを使用するのは当然である。まとめて言うと、コンピュータ、コンピュータシステム又はコンピュータネットワーク中の関連するハードウェア、ソフトウェア及び本発明の上述の方法中の各種操作を実現するハードウェア、ファームウェア、ソフトウェア又はそれらの組み合わせは、本発明の設備及びその各構成要素を構成し得る。
【０１２９】
よって、上述の理解に基づいて、本発明の目的は、任意の情報処理設備に１つのプログラム又は一組のプログラムを実行させることにより実現されてもよい。上述の情報処理設備は、公知の汎用設備であってもよい。よって、本発明の目的は、上述の方法又は設備を実現し得るプログラムコードを含むプログラムプロダクトを提供することのみにより実現されてもよい。言い換えると、このようなプログラムプロダクトも本発明を構成し、且つ、このようなプログラムプロダクトを記憶又はトランスミッションするための媒体も本発明を構成する。明らかであるように、上述の記憶又はトランスミッション用媒体は、当業者に既知の又は将来に開発される任意の記憶又はトランスミッション用媒体であってもよいので、ここでは、各種の記憶又はトランスミッション用媒体を網羅する必要がない。
【０１３０】
本発明の設備及び方法では、明らかであるように、各部品又は各ステップは分解、組み合わせ及び/又は分解後再組み合わせ可能なものであってもよい。これらの分解及び/又は再組み合わせは、本発明の等価案として見なされるべきである。なお、上述の一連の処理を行うステップは、上述に説明した順序に従って時間順に行ってもよいが、必ずしも時間順に行う必要がない。一部のステップは、並行又は互いに独立で行ってもよい。また、上述の本発明の具体的な実施例についての説明では、１つの実施方式について説明及び/又は図示した特徴は、同じ又は類似する方式で、１つ又は複数の他の実施方式に用い、他の実施方式中の特徴と組み合わせ、又は、他の実施方式中の特徴を置換してもよい。
【０１３１】
また、強調すべきは、“含む/有する”のような用語は、本文に使用する時に、特徴、要素、ステップ又はユニットの存在を表すが、１つ又は複数の他の特徴、要素、ステップ又はユニットの存在又は付加を排除しないことも表す。
【０１３２】
本発明及びその利点を説明したが、理解すべきは、添付した請求の範囲により限定される本発明の精神及び範囲内において各種の変更、代替及び変換を行ってもよい。また、本発明の範囲は、明細書に記載のプロセス、設備、手段、方法及びステップの具体的な実施例に限定されない。当業者が本開示の内容から容易に理解すべきは、本発明によれば、上述の実施例と基本的に同じ機能を有する、又は、上述の実施例と基本的に同じ結果を得る従来の又は将来に開発される各種のプロセス、設備、手段、方法又はステップを使用することができる。よって、添付した請求の範囲は、このような各種のプロセス、設備、手段、方法又はステップをも含む。以上、本発明の好ましい実施形態を説明したが、本発明はこの実施形態に限定されず、本発明の趣旨を離脱しない限り、本発明に対するあらゆる変更は本発明の範囲に属する。
【図１】
2013535925.tif 000033
【図２】
2013535925.tif 000034
【図３】
2013535925.tif 000035
【図４】
2013535925.tif 000036
【図５】
2013535925.tif 000037
【図６】
2013535925.tif 000038
【図７】
2013535925.tif 000039
【図８】
2013535925.tif 000040
【図９】
2013535925.tif 000041
【国際調査報告】
2013535925.tif 000042
2013535925.tif 000043
2013535925.tif 000044
2013535925.tif 000045